(57)【要約】      （修正有）【課題】紫外線及び／又は電磁気波が発生しなく、殺菌対象内の空気を遠赤外線で殺菌、浄化、乾燥及び加熱することができる殺菌乾燥器を提供する。【解決手段】殺菌対象の内部と接続され、殺菌対象の内部空気を吸入して排出する本体１１０と、本体１１０の内側に取り付けられ、吸入された空気を殺菌、浄化、乾燥及び加熱して通過させる炭化ケイ素ハニカムヒーター１２０と、炭化ケイ素ハニカムヒーター１２０の後方に取り付けられ、殺菌対象の内部空気を吸入して炭化ケイ素ハニカムヒーター１２０を通過させて排出させる空気循環ファン１３０と、及び空気循環ファン１３０の一側に取り付けられ、炭化ケイ素ハニカムヒーター１２０及び空気循環ファン１３０に電力を供給するバッテリー１４０と、を含む。【選択図】図１ａ
0003216827.tif 000002
【実用新案登録請求の範囲】
【請求項１】
殺菌対象の内部と接続され、前記殺菌対象の内部空気を吸入して排出する本体；
前記本体の内側に取り付けられ、吸入された空気を殺菌、浄化、乾燥及び加熱して通過させる炭化ケイ素ハニカムヒーター；
前記炭化ケイ素ハニカムヒーターの後方に取り付けられ、前記殺菌対象の内部空気を吸入して前記炭化ケイ素ハニカムヒーターを通過させて排出させる空気循環ファン；及び
前記空気循環ファンの一側に取り付けられ、前記炭化ケイ素ハニカムヒーター及び前記空気循環ファンに電力を供給するバッテリーを含むことを特徴とする、殺菌乾燥器。
【請求項２】
前記本体は長手方向に中空の円筒状であり、前記本体の内側面に沿って長手方向に形成され、前記本体の前部から前記空気循環ファンの後部まで伸びた複数の空気吸入口を含むことを特徴とする、請求項１に記載の殺菌乾燥器。
【請求項３】
前記空気吸入口は前記本体に貫設された複数の空気吸入ホールをさらに含むことを特徴とする、請求項２に記載の殺菌乾燥器。
【請求項４】
前記空気吸入口の空気吸入ホールを通じて殺菌対象の内部空気が前記空気循環ファンに吸入され、前記炭化ケイ素ハニカムヒーターによって殺菌、浄化、乾燥及び加熱された空気が前記本体の前部を通じて排出されることを特徴とする、請求項３に記載の殺菌乾燥器。
【請求項５】
前記本体の前部に結合され、前記殺菌対象の内部空気を吸入する複数の空気吸入ホール及び前記殺菌、浄化、乾燥及び加熱された空気を排出する空気排出口を含む前面カバーをさらに含むことを特徴とする、請求項１に記載の殺菌乾燥器。
【請求項６】
前記本体は、
前記前面カバーの空気排出口に結合される内部胴体；
前記前面カバーの外周縁に結合される外部胴体；及び
前記内部胴体と前記外部胴体の間に、前記前面カバーの空気吸入ホールから空気を吸入して前記空気循環ファンに伝達するように備えられた複数の空気吸入口を含むことを特徴とする、請求項５に記載の殺菌乾燥器。
【請求項７】
前記前面カバーは後方に向かって伸びた結合突起をさらに含み、
前記本体は前記内部胴体と前記外部胴体の間に形成された結合溝をさらに含み、
前記前面カバーの結合突起が前記本体の結合溝に結合されたことを特徴とする、請求項６に記載の殺菌乾燥器。
【請求項８】
前記本体は、前記内部胴体と前記外部胴体の後部に取り付けられ、前記炭化ケイ素ハニカムヒーターが結合されるリテーナーリングをさらに含むことを特徴とする、請求項６に記載の殺菌乾燥器。
【請求項９】
前記炭化ケイ素ハニカムヒーターは前記リテーナーリングに結合される結合リングをさらに含み、前記リテーナーリング及び結合リングは前記ハニカムヒーターからの熱を前記本体に伝達しない熱的絶縁体から形成されたことを特徴とする、請求項８に記載の殺菌乾燥器。
【請求項１０】
殺菌対象内部の空気を吸入するように複数の空気吸入ホールが形成され、殺菌及び乾燥された空気を排出する排出口が形成された前面カバー；
前記前面カバーに結合され、前記空気吸入ホールと対応する領域に形成された空気吸入口及び前記空気排出口と対応する領域に形成された空気排出口を含む本体；
前記本体の後部に結合され、前記空気排出口と対応する大きさを有する炭化ケイ素ハニカムヒーター；及び
前記炭化ケイ素ハニカムヒーターに結合され、前記本体の後部を塞げる後面カバーを含むことを特徴とする、殺菌乾燥器。
【請求項１１】
前記殺菌対象は、履物、衣類、げた箱又は愛犬のいずれか一つであることを特徴とする、請求項１〜１０のいずれか一項に記載の殺菌乾燥器。
【考案の詳細な説明】
【技術分野】
【０００１】
本考案の多様な実施例は殺菌乾燥器に関するものである。
【背景技術】
【０００２】
例えば、洗浄された殺菌対象は日光又は陰にななめに立てて置くとか乾燥台にかけて置くなどの方法で自然乾燥させる。
【０００３】
しかし、このような乾燥方法は乾燥時間が過多に必要となり、梅雨又は冬季には湿気と低温のため乾燥がほとんど不可能であり、むしろ殺菌対象の内側にかびなどが発生する問題がある。
【０００４】
また、靴やブーツなどの革殺菌対象は水で洗浄することが不可能であるため、殺菌対象の内部を随時乾燥しなければならない不便さが発生する。また、殺菌対象内部の湿気を除去しなかった状態で放置すれば、かびなどの細菌が繁殖してひどい悪臭がするなど、衛生状態が非常に不良になる。
【０００５】
従来のこのような問題を改善するために、ＵＶ（Ｕｌｔｒａ  Ｖｉｏｌｅｔ）ランプ又はＰＴＣ（Ｐｏｓｉｔｉｖｅ  Ｔｅｍｐｅｒａｔｕｒｅ  Ｃｏｅｆｆｉｃｉｅｎｔ）金属ヒーターなどを含む殺菌対象乾燥器を用いた。
【０００６】
しかし、ＵＶランプは人体に有害な紫外線が発生し、ＰＴＣ金属ヒーターは人体に有害な電磁気波が発生する致命的な問題があった。さらに、これらの従来技術による殺菌対象乾燥器は殺菌対象の内部で乾燥空気が効率的に提供されなくて乾燥時間が長くかかり、殺菌対象の内部を乾燥するために殺菌対象の外部に乾燥空気が不必要に多く供給されて伸縮による変形が発生することがあり、これにより殺菌対象の寿命が縮む問題があった。
【０００７】
このような考案の背景となる技術に開示された上述した情報は本考案の背景に対する理解を助けるものだけであり、従来技術を構成しない情報を含むこともできる。
【考案の概要】
【考案が解決しようとする課題】
【０００８】
本考案の多様な実施例による解決しようとする課題は紫外線及び／又は電磁気波が発生せず、殺菌対象内の空気を遠赤外線で殺菌、浄化、乾燥及び加熱することができる殺菌乾燥器を提供することにある。
【課題を解決するための手段】
【０００９】
本考案の多様な実施例による殺菌乾燥器は、殺菌対象の内部と接続され、前記殺菌対象の内部空気を吸入して排出する本体；前記本体の内側に取り付けられ、吸入された空気を殺菌、浄化、乾燥及び加熱して通過させる炭化ケイ素ハニカムヒーター；前記炭化ケイ素ハニカムヒーターの後方に取り付けられ、前記殺菌対象の内部空気を吸入して前記炭化ケイ素ハニカムヒーターを通過させて排出させる空気循環ファン；及び前記空気循環ファンの一側に取り付けられ、前記炭化ケイ素ハニカムヒーター及び前記空気循環ファンに電力を供給するバッテリーを含む。
【００１０】
前記本体は長手方向に中空になっている円筒状であり、前記本体の内側面に沿って長手方向に形成され、前記本体の前部から前記空気循環ファンの後部まで伸びた複数の空気吸入口を含むことができる。
【００１１】
前記空気吸入口は前記本体に貫設された複数の空気吸入ホールをさらに含むことができる。
【００１２】
前記空気吸入口の空気吸入ホールを通じて殺菌対象の内部空気が前記空気循環ファンに吸入され、前記炭化ケイ素ハニカムヒーターによって殺菌、浄化、乾燥及び加熱された空気が前記本体の前部を通じて排出されることができる。
【００１３】
前記本体の前部に結合され、前記殺菌対象の内部空気を吸入する複数の空気吸入ホール及び前記殺菌、浄化、乾燥及び加熱された空気を排出する空気排出口を含む前面カバーをさらに含むことができる。
【００１４】
前記本体は、前記前面カバーの空気排出口に結合される内部胴体；前記前面カバーの外周縁に結合される外部胴体；及び前記内部胴体と前記外部胴体の間に、前記前面カバーの空気吸入ホールから空気を吸入して前記空気循環ファンに伝達するように備えられた複数の空気吸入口を含むことができる。
【００１５】
前記前面カバーは後方に向かって伸びた結合突起をさらに含み、前記本体は前記内部胴体と前記外部胴体の間に形成された結合溝をさらに含み、前記前面カバーの結合突起が前記本体の結合溝に結合されることができる。
【００１６】
前記本体は、前記内部胴体と前記外部胴体の後部に取り付けられ、前記炭化ケイ素ハニカムヒーターが結合されるリテーナーリングをさらに含むことができる。
【００１７】
前記炭化ケイ素ハニカムヒーターは前記リテーナーリングに結合される結合リングをさらに含み、前記リテーナーリング及び結合リングは前記ハニカムヒーターからの熱を前記本体に伝達しない熱的絶縁体から形成されることができる。
【００１８】
本考案の多様な実施例による殺菌乾燥器は、殺菌対象内部の空気を吸入するように複数の空気吸入ホールが形成され、殺菌及び乾燥された空気を排出する排出口が形成された前面カバー；前記前面カバーに結合され、前記空気吸入ホールと対応する領域に形成された空気吸入口及び前記空気排出口と対応する領域に形成された空気排出口を含む本体；前記本体の後部に結合され、前記空気排出口と対応する大きさを有する炭化ケイ素ハニカムヒーター；及び前記炭化ケイ素ハニカムヒーターに結合され、前記本体の後部を塞げる後面カバーを含む。
【００１９】
前記殺菌対象は、履物、衣類、げた箱又は愛犬のいずれか一つであり得る。
【考案の効果】
【００２０】
本考案の多様な実施例による殺菌乾燥器は、紫外線及び／又は電磁気波が発生することなく、殺菌対象内の空気を遠赤外線で殺菌、浄化、乾燥及び加熱することができるようにする。
【００２１】
すなわち、本考案の多様な実施例による殺菌乾燥器は、殺菌対象内の空気を空気吸入ホール及び空気吸入口と空気循環ファンを通じて吸入した後、炭化ケイ素ハニカムヒーターによって遠赤外線で殺菌、浄化、乾燥及び加熱して空気排出口を通じて殺菌対象に排出することにより、殺菌対象を速かに加熱及び乾燥させることができるだけでなく殺菌対象の内部を殺菌及び浄化することができるようにする。
【図面の簡単な説明】
【００２２】
【図１ａ】本考案の多様な実施例による殺菌乾燥器を示す概略図である。
【図１ｂ】本考案の多様な実施例による殺菌乾燥器を示す斜視図である。
【図１ｃ】本考案の多様な実施例による殺菌乾燥器を示す正面図である。
【図２】本考案の多様な実施例による殺菌乾燥器において炭化ケイ素ハニカムヒーターによる熱風及び遠赤外線の発生例を示す概略図である。
【図３ａ】本考案の多様な実施例による殺菌乾燥器による殺菌原理を示す概略図である。
【図３ｂ】本考案の多様な実施例による殺菌乾燥器による殺菌原理を示す概略図である。
【図３ｃ】本考案の多様な実施例による殺菌乾燥器による殺菌原理を示す概略図である。
【図４】本考案の多様な実施例による殺菌乾燥器を示す分解斜視図である。
【図５ａ】本考案の多様な実施例による殺菌乾燥器において前面カバーを示す背面斜視図である。
【図５ｂ】本考案の多様な実施例による殺菌乾燥器において本体を示す背面斜視図である。
【考案を実施するための形態】
【００２３】
以下、添付図面に基づいて本考案の好適な実施例を詳細に説明する。
【００２４】
本考案の実施例は当該技術分野で通常の知識を有する者に本考案をより完全に説明するために提供するもので、下記の実施例は多くの色々な形態に変形可能であり、本考案の範囲が下記の実施例に限定されるものではない。むしろ、これらの実施例はこの開示をより充実で完全にし、当業者に本考案の思想を完全に伝達するために提供するものである。
【００２５】
また、以下の図面で各層の厚さや大きさは説明の便宜及び明確性のために誇張したものであり、図面で同じ符号は同じ要素を示す。本明細書で使用されたような用語“及び／又は”は列挙された該当項目のうちいずれか一つ及び一つ以上の全ての組合せを含む。また、本明細書で、“連結される”という意味はＡ部材とＢ部材が直接連結される場合だけでなく、Ａ部材とＢ部材の間にＣ部材が介在してＡ部材とＢ部材が間接連結される場合も意味する。
【００２６】
本明細書で使用された用語は特定の実施例を説明するために使われ、本考案を制限するためのものではない。本明細書で使用されたように、単数の形態は文脈上他の場合を確かに指摘するものではなければ、複数の形態を含むことができる。また、本明細書で使われる場合、“含む（ｃｏｍｐｒｉｓｅ、ｉｎｃｌｕｄｅ）”及び／又は“含む（ｃｏｍｐｒｉｓｉｎｇ、ｉｎｃｌｕｄｉｎｇ）”は言及した形状、数字、段階、動作、部材、要素及び／又はこれらのグループの存在を特定するものであり、一つ以上の他の形状、数字、動作、部材、要素及び／又はグループの存在又は付加を排除するものではない。
【００２７】
本明細書で、第１、第２などの用語が多様な部材、部品、領域、層及び／又は部分を説明するために使われるが、これらの部材、部品、領域、層及び／又は部分はこれらの用語に限定されてはいけないのは自明である。これらの用語は一つの部材、部品、領域、層又は部分を他の領域、層又は部分と区別するために使われる。よって、以下で詳述する第１部材、部品、領域、層又は部分は本考案の教示から逸脱しなくて第２部材、部品、領域、層又は部分を示すことができる。
【００２８】
“下部（ｂｅｎｅａｔｈ）”、“下（ｂｅｌｏｗ）”、“低（ｌｏｗｅｒ）”、“上部（ａｂｏｖｅ）”、“上（ｕｐｐｅｒ）”のような空間に関連した用語が図面に示した一つの要素又は特徴と他の要素又は特徴の容易な理解のために用いられることができる。このような空間に関連した用語は本考案の多様な工程状態又は使用状態によって本考案の容易な理解のためのものであり、本考案を限定するためのものではない。例えば、図面の要素又は特徴が覆されれば、“下部”又は“下”と説明された要素又は特徴は“上部”又は“上”となる。よって、“下”は“上部”又は“下”を包括する概念である。
【００２９】
また、以下で説明する殺菌対象は、例えば、限定するものではないが、履物、衣類、げた箱又はのうち一つであり得る。
【００３０】
図１ａ〜図１ｃを参照すると、本考案の多様な実施例による殺菌乾燥器１００の概略図、斜視図及び正面図が示されている。
【００３１】
図１ａ〜図１ｃに示したように、本考案の多様な実施例による殺菌乾燥器１００は、本体１１０と、本体１１０の内部に結合された炭化ケイ素ハニカムヒーター１２０と、本体１１０の内部に結合された空気循環ファン１３０と、本体１１０の内部に結合されたバッテリー１４０とを含むことができる。
【００３２】
本体１１０は殺菌対象の内部と接続され、殺菌対象の内部空気を吸入して排出する役目をする。本体１１０は、例えば、限定するものではないが、長手方向に中空となっている略円筒状であり得る。具体的に、本体１１０は、前方に形成された空気排出口１１１と、後方に形成された後面カバー１１２とを含むことができる。
【００３３】
また、本体１１０は、内側面に長手方向に形成され、本体１１０の前部から空気循環ファン１３０の後部まで伸びて配列された複数の空気吸入口１１３をさらに含むことができる。図面では４個の空気吸入口１１３が示されているが、これが本考案を限定しなく、空気吸入口１１３は４個よりも少ないとか多いことも可能である。
【００３４】
また、空気吸入口１１３は本体１１０に貫設された複数の空気吸入ホール１１４をさらに含むことができる。よって、空気吸入口１１３の空気吸入ホール１１４を通じて殺菌対象内部の空気が空気循環ファン１３０に吸入／案内され、炭化ケイ素ハニカムヒーター１２０によって殺菌、浄化、乾燥及び加熱された空気が本体１１０の前部に形成された空気排出口１１１を通じて排出される。
【００３５】
このような本体１１０は、例えば、限定するものではないが、耐熱性及び耐化学性などに優れたポリエチレン、ポリプロピレン、ポリ塩化ビニル、ポリスチレン、ＡＢＳ樹脂、ＡＳ樹脂、メタクリル樹脂、ポリビニルアルコール、ポリ塩化ビニレン、エンジニアリングプラスチックのような熱可塑性樹脂、フェノール樹脂、ウレア樹脂、メラミン樹脂、アルキド樹脂、不飽和ポリエステル樹脂、エポキシ樹脂、ポリウレタン樹脂、シリコン樹脂、ジアリールフタレート樹脂などのような熱硬化性樹脂などから形成されることができる。また、本体１１０はセラミック又は金属などから形成されることもできる。
【００３６】
炭化ケイ素ハニカムヒーター１２０は本体１１０の内側に取り付けられ、上述した本体１１０の空気吸入口１１３を通じて吸入された空気を殺菌、浄化、乾燥及び加熱して通過させ、本体１１０の前部に形成された空気排出口１１１から排出させる役目をする。このような炭化ケイ素ハニカムヒーター１２０は、例えば、限定するものではないが、一定の厚さを有する略円柱状であってもよく、空気が通過することができる複数のハニカムパターンが内側に設けられることができる。
【００３７】
このような炭化ケイ素ハニカムヒーター１２０は、例えば、限定するものではないが、炭化ケイ素（ＳｉＣ）に、シリコン（Ｓｉ）、カーボン（Ｃ）、炭化ホウ素（Ｂｏｒｏｎ  Ｃａｒｂｉｄｅ）から選択される少なくとも１種の第１組成物と、オーステナイト系発熱体（ＮｉＣｒ合金）、ペリチック発熱体（ＦｅＣｒＡｌ合金）、銅（Ｃｕ）、シリコン（Ｓｉ）、シルミン合金（Ａｌ−Ｓｉ合金）から選択される少なくとも１種の第２組成物を含むことができる。
【００３８】
一例として、第１組成物は、炭化ケイ素（ＳｉＣ）５０〜９５重量部にシリコン（Ｓｉ）、カーボン（Ｃ）、炭化ホウ素（Ｂｏｒｏｎ  Ｃａｒｂｉｄｅ）から選択された少なくとも１種を５重量部含有することができる。ここで、炭化ケイ素（ＳｉＣ）はハニカムヒーター１２０の主材料であり、炭化ケイ素（ＳｉＣ）は高いエネルギー効率で加熱／発熱され、特に電磁気波を全然放出しない。
【００３９】
また、一例として、ハニカムヒーター１２０のセル密度は２０〜２００ＣＰＳＩ（Ｃｅｌｌ  Ｐｅｒ  Ｓｑｕａｒｅ  ｉｎｃｈ）であり得、ハニカムヒーター１２０の断面サイズはおよそ２０〜５０ｍｍ、長さが２０〜５０ｍｍであり得る。
【００４０】
また、第２組成物は抵抗調節の役目をすることができる。一例として、第２組成物のうち、オーステナイト系発熱体（ＮｉＣｒ合金）は発熱性が高く、クリープ強度が高く、放射率が高く、腐食に対する抵抗性が高い。また、第２組成物のうち、ペリチック発熱体（ＦｅＣｒＡｌ合金）は寿命が長く、発熱体の密度が低く、固有抵抗が高く、硫化物の腐食に対する抵抗性が高い。また、第２組成物のうちシルミン合金（Ａｌ−Ｓｉ合金）は砂型及び金型鋳造用合金とダイキャスティング用合金として適切である。
【００４１】
特に、砂型及び金型鋳造用合金の一つであるＡｌ−Ｓｉ系合金はシルミン（ｓｉｌｍｉｎ）と言われる合金で、鋳造が非常に易しく、特にＡｌ−Ｓｉ系の共晶点に近い組成となれば熱間脆性が除去され、流動性、熔接性及び耐食性に優れて主に厚い大型鋳物又は形状が複雑な鋳物に多く用いられることができる。また、ダイキャスティング用合金の一つであるＡｌ−高Ｓｉ合金はＡｌ−Ｓｉ系合金（ＡＣ３Ａ）と同一の組成であるＡｌ−１２％Ｓｉの２元工程合金であるが、ダイキャスティング作業の際、不純物、特にＦｅが少ない時は、金型にＡｌが溶着するため、一般的に１％程度のＦｅを添加した時に最適の鋳造性と強度が出る。さらに他のダイキャスティング用合金であるＡｌ−Ｓｉ系合金（ＡＤＣ７）は伸展性に優れ、耐圧性及び耐食性も優れる。
【００４２】
第１組成物はおよそ４５〜５５重量部、前記第２組成物はおよそ４５〜５５重量部であり得る。第１組成物がおよそ４５重量部より少ない場合、電気抵抗が低くなって電力消費率が大きくなり、また第１組成物がおよそ５５重量部より多い場合、電気抵抗が高くなって発熱効率が低くなることがある。
【００４３】
空気循環ファン１３０は本体１１０の内部において炭化ケイ素ハニカムヒーター１２０の後方に取り付けられるもので、殺菌対象の内部空気を吸入して炭化ケイ素ハニカムヒーター１２０を通過させて排出させる役目をする。すなわち、空気循環ファン１３０は本体１１０の内径と類似の直径を有し、複数の空気吸入口１１３が成す内側領域に取り付けられることにより、空気吸入口１１３及び空気吸入ホール１１４から殺菌対象の内部空気を吸入した後、炭化ケイ素ハニカムヒーター１２０を通過させて排出させる。
【００４４】
バッテリー１４０は、例えば、限定するものではないが、空気循環ファン１３０の一側に取り付けられ、炭化ケイ素ハニカムヒーター１２０及び空気循環ファン１３０に電力を供給する役目をする。特に、バッテリー１４０は、空気循環ファン１３０の後方に取り付けられ、空気循環ファン１３０から吸入された空気によって冷却されることにより、炭化ケイ素ハニカムヒーター１２０によって加熱されないようにする。このようなバッテリー１４０は、例えば、限定するものではないが、再充電が可能なリチウムイオン電池、リチウムポリマー電池、リチウムイオンポリマー電池、全固体電池を含むことができる。特に、バッテリー１４０として全固体電池が使われる場合、電池の内部に液体が存在しないので、炭化ケイ素ハニカムヒーター１２０から伝達され得る熱気にも膨脹するとか爆発する危険がない。
【００４５】
一方、このようなバッテリー１４０は、炭化ケイ素ハニカムヒーター１２０におよそ３．２Ｖ〜３２０Ｖ（昇圧回路の採択時）の電力を供給することにより、炭化ケイ素ハニカムヒーター１２０の昇温温度がおよそ１〜２５℃／ｓｅｃとなるようにすることができる。このようにして、本考案の多様な実施例による殺菌乾燥器１００は、殺菌対象の空気を本体１１０の空気吸入ホール１１４及び空気吸入口１１３と空気循環ファン１３０を通じて吸入した後、炭化ケイ素ハニカムヒーター１２０によって殺菌、浄化、乾燥及び加熱し、本体１１０の空気排出口１１１を通じて殺菌対象に排出することにより、殺菌対象を速かに加熱及び乾燥させることができるだけでなく、殺菌対象の内部を殺菌及び浄化することができるようにする。
【００４６】
一方、図１ａ〜図１ｃに示した殺菌乾燥器１００の主要構成／材料は図４に示した殺菌乾燥器２００にも同様に適用することができる。
【００４７】
図２を参照すると、本考案の多様な実施例による殺菌乾燥器１００において炭化ケイ素ハニカムヒーター１２０による熱風及び遠赤外線の発生例が概略的に示されている。
【００４８】
図２に示したように、一側の冷たい空気は炭化ケイ素ハニカムヒーター１２０によって乾燥及び加熱されて熱風の形態として被加熱体に供給されるとともに、炭化ケイ素ハニカムヒーター１２０から遠赤外線が被加熱体に照射されることによって被加熱体が殺菌及び浄化される。
【００４９】
図３ａ〜図３ｃを参照すると、本考案の多様な実施例による殺菌乾燥器１００による殺菌原理が概略的に示されている。
【００５０】
図３ａ〜図３ｃに示したように、汚染空気が炭化ケイ素ハニカムヒーター１２０を通過すれば浄化された空気として排出される。例えば、図３ｂに示したように、ＨＣを含む汚染空気が炭化ケイ素ハニカムヒーター１２０の表面に吸着／付着されれば、図３ｃに示したように、炭化ケイ素ハニカムヒーター１２０の遠赤外線によってＨＣがＨ２、Ｈ２Ｏ、ＣＯに分解されて殺菌／浄化される。
【００５１】
図４を参照すると、本考案の多様な実施例による殺菌乾燥器２００の分解斜視図が示されている。
【００５２】
図４に示したように、本考案の多様な実施例による殺菌乾燥器２００は、前面カバー２１０、本体２２０、炭化ケイ素ハニカムヒーター２３０及び後面カバー２４０を含むこともできる。
【００５３】
前面カバー２１０は本体２２０の前部に略円形リングの形態として結合され、これは殺菌対象の内部空気を吸入する複数の空気吸入ホール２１１及び殺菌、浄化、乾燥及び加熱された空気を排出する空気排出口２１２を含むことができる。すなわち、前面カバー２１０は、前面の周縁に形成された複数の空気吸入ホール２１１と、前面の中央に形成された相対的に大きな空気排出口２１２とを含むことができる。また、前面カバー２１０は、前面の周縁に形成されて後方に一定の長さだけ伸びた複数の結合突起２１３をさらに含むことができる。
【００５４】
また、本体２２０は略円筒状に形成されるもので、内部胴体２２１と、外部胴体２２２と、空気吸入口２２３と、結合溝２２４とを含むことができる。
【００５５】
内部胴体２２１は前面カバー２１０の空気排出口２１２に結合されるように略円筒状であり得る。すなわち、内部胴体２２１の内径は前面カバー２１０の空気排出口２１２の内径と同一である。
【００５６】
外部胴体２２２は前面カバー２１０の外周縁に結合されるように略円筒状であり得る。すなわち、外部胴体２２２の外径は前面カバー２１０の外径と同一である。
【００５７】
空気吸入口２２３は複数が備えられ、内部胴体２２１と外部胴体２２２の間に形成される。このような空気吸入口２２３は前面カバー２１０に備えられた複数の空気吸入ホール２１１から吸入された空気を炭化ケイ素ハニカムヒーター２３０及び／又は空気循環ファン（図示せず）に伝達する役目をする。
【００５８】
ここで、空気循環ファンが示されていないが、本考案の実施例による殺菌乾燥器２００は図１ａ〜図１ｃに示した殺菌乾燥器１００の構成／材料をそのまま用いることができる。
【００５９】
結合溝２２４は内部胴体２２１と外部胴体２２２の間に形成されるもので、内部胴体２２１と外部胴体２２２を互いに連結する。よって、内部胴体２２１は外部胴体２２２の内部において所定の位置を維持する。また、結合溝２２４は内部胴体２２１から外部胴体２２２に向かって一定の深さ及び一定の長さだけ凹設されることにより、上述した前面カバー２１０の結合突起２１３と結合することができる。
【００６０】
炭化ケイ素ハニカムヒーター２３０は網状のもので、略円板形を有し、外周に形成された複数の結合リング２３１を含むことができる。このような結合リング２３１が後述するリテーナーリング２２５に結合されることによって炭化ケイ素ハニカムヒーター２３０が本体２２０の内側に結合される。
【００６１】
また、後面カバー２４０も略円板形を有し、外周に形成された複数の結合リング２４１を含むことができる。このような結合リング２４１も後述するリテーナーリング２２５に結合されることによって後面カバー２４０が本体２２０の後部を完全に塞ぐことになる。
【００６２】
ここで、上述した前面カバー２１０、本体２２０及び後面カバー２４０は、例えば、限定するものではないが、耐熱性及び耐化学性などに優れたポリエチレン、ポリプロピレン、ポリ塩化ビニル、ポリスチレン、ＡＢＳ樹脂、ＡＳ樹脂、メタクリル樹脂、ポリビニルアルコール、ポリ塩化ビニレン、エンジニアリングプラスチックのような熱可塑性樹脂、フェノール樹脂、ウレア樹脂、メラミン樹脂、アルキド樹脂、不飽和ポリエステル樹脂、エポキシ樹脂、ポリウレタン樹脂、シリコン樹脂、ジアリールフタレート樹脂などのような熱硬化性樹脂などから形成されることができる。また、前面カバー２１０、本体２２０及び後面カバー２４０はセラミック又は金属などから形成されることもできる。
【００６３】
図５ａ及び図５ｂを参照すると、本考案の多様な実施例による殺菌乾燥器２００において前面カバー２１０及び本体２２０の背面斜視図が示されている。
【００６４】
図５ａに示したように、本考案の多様な実施例による殺菌乾燥器２００において前面カバー２１０は後方に向かって一定の長さだけ伸びた結合突起２１３をさらに含み、これが本体２２０に備えられた結合溝２２４に結合することができるようになっている。
【００６５】
また、図５ｂに示したように、本考案の多様な実施例による殺菌乾燥器２００において本体２２０の後部には、内部胴体２２１と前記外部胴体２２２の間に取り付けられ、炭化ケイ素ハニカムヒーター２３０が結合されるリテーナーリング２２５をさらに含むことができる。
【００６６】
特に、リテーナーリング２２５は本体２２０に備えられた結合溝２２４の底に結合リング２２６を介して取り付けられるので、リテーナーリング２２５を結合するための別途の支持部材を備える必要がない。
【００６７】
ここで、炭化ケイ素ハニカムヒーター２３０に備えられた結合リング２３１とリテーナーリング２２５はハニカムヒーター２３０からの熱が本体２２０及び後方カバーに直接伝達されないように熱的絶縁体から形成されることができる。熱的絶縁体は、例えば、限定するものではないが、ＰＦ（フェノール断熱材）、ガラスウールなどを含むことができる。
【００６８】
このように、本考案の多様な実施例による殺菌乾燥器２００は、紫外線及び／又は電磁気波が発生しなく、殺菌対象内の空気を炭化ケイ素ハニカムヒーターで生成される遠赤外線で殺菌、浄化、乾燥及び加熱することができるようにする。
【００６９】
すなわち、既存のＵＶランプを用いた製品は、 紫外線そのものが人体に有害であり、ランプの破損時、ランプ内の蛍光物質などが人体に悪影響を及ぼし、大膓菌のような単細胞細菌は死滅させることができなく、ランプがオフされれば細菌がすぐ活動する欠点があった。また、金属ヒーター加熱方式は、加熱時間が長く、電力消耗が多くてエネルギー利用効率が低い欠点があった。しかし、本考案の多様な実施例による殺菌乾燥器１００、２００は、セラミックヒーター、すなわち炭化ケイ素ハニカムヒーターによる即刻加熱方式を用いるので、エネルギー利用効率が９７．１％の高効率（ＫＴＬ認証試験）を有する利点を有する。また、ランプ及び金属ヒーター加熱方式は、殺菌と同時に電磁波が多量発生するが、炭化ケイ素セラミック構造殺菌ヒーターは電磁波が発生しない利点を有する。また、ランプ方式は光が到逹することができない所は何らの効果がないが、セラミックヒーター方式は空気対流方式でくまなく遠赤外線殺菌が可能である（殺菌対象の周辺まで殺菌）。
【００７０】
特に、炭化ケイ素セラミックハニカムヒーターは、既存に比べて消費電力がおよそ４０％以上節減され、瞬間発熱方式でかび菌を直接死滅させ、また大膓菌及び葡萄状球菌は９９．９％以上死滅させ、遠赤外線放出量が優れ（遠赤外線放射率９２％）、微細ほこり及び悪臭を直接分解して除去することができる。
【００７１】
この以外にも、炭化ケイ素セラミックハニカムヒーターは、蜂の巣状のモジュールであって電磁波を放出するよりは電磁波を遮断し、炭化ケイ素セラミックハニカムヒーターはモジュールタイプであって手軽く分解して、死滅された細菌の死体を水で洗うことができてもっと衛生的に使用することができ、また半永久的使用によって追加費用が発生しなく、対流熱方式で細菌死滅効率が非常に高い利点を有する。
【００７２】
以上で説明したものは本考案による殺菌乾燥器を実施するための一実施例に過ぎないもので、本考案は前述した実施例に限定されなく、以下の請求範囲で請求するように本考案の要旨を逸脱することなしに本考案が属する分野で通常の知識を有する者であれば誰でも多様な変更実施が可能な範囲まで本考案の技術的精神があると言える。
【符号の説明】
【００７３】
１００    殺菌乾燥器
１１０    本体
１１１    空気排出口
１１２    後面カバー
１１３    空気吸入口
１１４    空気吸入ホール
１２０    炭化ケイ素ハニカムヒーター
１３０    空気循環ファン
１４０    バッテリー
２００    殺菌乾燥器
２１０    前面カバー
２１１    空気吸入ホール
２１２    空気排出口
２１３    結合突起
２２０    本体
２２１    内部胴体
２２２    外部胴体
２２３    空気吸入口
２２４    結合溝
２２５    リテーナーリング
２３０    炭化ケイ素ハニカムヒーター
２３１    結合リング
２４０    後面カバー
２４１    結合リング
【図１ａ】
0003216827.tif 000003
【図１ｂ】
0003216827.tif 000004
【図１ｃ】
0003216827.tif 000005
【図２】
0003216827.tif 000006
【図３ａ】
0003216827.tif 000007
【図３ｂ】
0003216827.tif 000008
【図３ｃ】
0003216827.tif 000009
【図４】
0003216827.tif 000010
【図５ａ】
0003216827.tif 000011
【図５ｂ】
0003216827.tif 000012
【手続補正書】
【提出日】平成30年4月12日(2018.4.12)
【手続補正１】
【補正対象書類名】実用新案登録請求の範囲
【補正対象項目名】請求項１０
【補正方法】変更
【補正の内容】
【請求項１０】
殺菌対象内部の空気を吸入するように複数の空気吸入ホールが形成され、殺菌及び乾燥された空気を排出する排出口が形成された前面カバー；
前記前面カバーに結合され、前記空気吸入ホールと対応する領域に形成された空気吸入口及び前記排出口と対応する領域に形成された空気排出口を含む本体；
前記本体の後部に結合され、前記空気排出口と対応する大きさを有する炭化ケイ素ハニカムヒーター；及び
前記炭化ケイ素ハニカムヒーターに結合され、前記本体の後部を塞げる後面カバーを含むことを特徴とする、殺菌乾燥器。